(57)【要約】【課題】通信可能な通信経路の信頼性に応じてバックアップするデータを選択することで、重要なデータを優先的にバックアップすることができるバックアップシステムを提供することを目的とする。【解決手段】複数の通信手段により、ネットワークを介してデータ通信可能に接続される車載装置２００とサーバーとを備え、車載装置で利用される利用データをサーバーに記憶するバックアップシステムにおいて、車載装置は、利用データを優先度毎に記憶する第１記憶手段と、複数の通信手段の種類と優先度とを関連付けて記憶する第２記憶手段と、通信可能な通信手段を検知する検知手段２０３と、検知手段に検知された通信手段により、通信手段の種類に関連付けられた優先度の利用データをサーバーに送信するバックアップ処理手段２０４とを備え、サーバーは、車載装置から受信した利用データを記憶する記憶手段を備えるバックアップシステム。【選択図】図２
2009230575.tif 000002
【特許請求の範囲】
【請求項１】
複数の通信手段により、ネットワークを介してデータ通信可能に接続される車載装置とサーバーとを備え、前記車載装置で利用される利用データを前記サーバーに記憶するバックアップシステムにおいて、
前記車載装置は、
前記利用データを優先度毎に記憶する第１記憶手段と、
前記複数の通信手段の種類と前記優先度とを関連付けて記憶する第２記憶手段と、
前記複数の通信手段のうち、通信可能な通信手段を検知する検知手段と、
前記検知手段に検知された通信手段により、当該通信手段の種類に関連付けられた優先度の利用データを前記サーバーに送信するバックアップ処理手段と
を備え、
前記サーバーは、
前記車載装置から受信した利用データを記憶する記憶手段を備えるバックアップシステム。
【請求項２】
前記車載装置は、
前記サーバーに対してユーザーの認証を行なう認証手段を備え、
前記認証手段によりユーザーが認証された場合、前記ユーザーの利用データを前記サーバーから受信して復元する請求項１記載のバックアップシステム。
【請求項３】
前記バックアップ処理手段は、
前記利用データの送信が完了し、かつ、他の通信手段が前記検知手段により検知されていない場合、送信が完了した利用データの優先度よりも低い優先度の利用データを送信する請求項１または２記載のバックアップシステム。
【請求項４】
データ通信可能に接続される車載装置と複数の記憶媒体とを備え、前記車載装置で利用される利用データを前記複数の記憶媒体に記憶する車載バックアップシステムにおいて、
前記車載装置は、
前記利用データを優先度ごとに記憶する第１記憶手段と、
前記複数の記憶媒体の種類と前記優先度とを関連付けて記憶する第２記憶手段と、
前記複数の記憶媒体のうち、前記車載装置に接続された記憶媒体を検知する検知手段と、
前記検知手段に検知された記憶媒体に対し、当該記憶媒体の種類に関連付けられた優先度の利用データを当該記憶媒体に記憶するバックアップ処理手段と
を備え、
前記記憶媒体は、前記バックアップ処理手段により前記利用データを記憶される車載バックアップシステム。
【請求項５】
前記バックアップ処理手段は、
前記検知手段に検知された記憶媒体の種類に対応する優先度が複数ある場合、優先度の高い利用データから当該記憶媒体に記憶する請求項４記載の車載バックアップシステム。
【請求項６】
複数の通信手段により、ネットワークを介してデータ通信可能に接続される車載装置において、
前記車載装置で利用される利用データを優先度毎に記憶する第１記憶手段と、
前記複数の通信手段の種類と前記優先度とを関連付けて記憶する第２記憶手段と、
前記複数の通信手段のうち、通信可能な通信手段を検知する検知手段と、
前記検知手段に検知された通信手段により、当該通信手段の種類に関連付けられた優先度の利用データを送信するバックアップ処理手段とを備える車載装置。
【発明の詳細な説明】
【技術分野】
【０００１】
本発明は、複数の通信手段を有するバックアップシステム、複数の記憶媒体と接続可能な車載バックアップシステム、及び、複数の通信手段と接続可能な車載装置に関する。
【背景技術】
【０００２】
従来から、車両用データを修復するバックアップシステムに関する様々な手法が提案されている。例えば、特許文献１には、車両とサーバーとの双方向通信システムにおいて、バックアップされたデータを車両に送信する際、複数の通信回線の中から、データの容量又はデータの転送速度に応じて最適な通信回線を選択してデータ通信を行なう技術が開示されている。
【０００３】
また、特許文献２には、使用不能なデータを修復するデータ修復システムにおいて、使用不能なデータの緊急度に応じてデータ修復のタイミングを調整する技術が開示されている。
【特許文献１】特許第３１５９２０４号公報
【特許文献２】特許第３３８９８４２号公報
【発明の開示】
【発明が解決しようとする課題】
【０００４】
しかしながら、特許文献１では、通信回線に接続できないことは想定されておらず、送信するデータ量などに基づいて、サーバー側で通信回線を決定するが、現実的には、決定された通信回線が接続できない状況も考えられる。また、かかる復元の技術について、バックアップを行なうデータに適用すると、バックアップを行なうデータの容量などにより通信回線を決定し、決定されたデータについてバックアップを行なうこととなり、バックアップするデータの重要性と通信回線の信頼性が考慮されていない。
【０００５】
また、上記特許文献２では、復元するデータの緊急度に応じて復元するタイミングを変更するのみで、バックアップのタイミングやバックアップするデータの内容を決定するものではない。
【０００６】
本発明は、上記問題に鑑みてなされたものであり、通信可能な通信手段の信頼性に応じてバックアップするデータを選択することで、重要なデータを優先的にバックアップすることができるバックアップシステム、車載バックアップシステム、及び、車載装置を提供することを目的とする。
【課題を解決するための手段】
【０００７】
本発明の一局面のバックアップシステムは、複数の通信手段により、ネットワークを介してデータ通信可能に接続される車載装置とサーバーとを備え、前記車載装置で利用される利用データを前記サーバーに記憶するバックアップシステムにおいて、前記車載装置は、前記利用データを優先度毎に記憶する第１記憶手段と、前記複数の通信手段の種類と前記優先度とを関連付けて記憶する第２記憶手段と、前記複数の通信手段のうち、通信可能な通信手段を検知する検知手段と、前記検知手段に検知された通信手段により、当該通信手段の種類に関連付けられた優先度の利用データを前記サーバーに送信するバックアップ処理手段とを備え、前記サーバーは、前記車載装置から受信した利用データを記憶する記憶手段を備える。
【０００８】
また、前記車載装置は、前記サーバーに対してユーザーの認証を行なう認証手段を備え、前記認証手段によりユーザーが認証された場合、前記ユーザーの利用データを前記サーバーから受信してもよい。
【０００９】
また、前記バックアップ処理手段は、前記利用データの送信が完了し、かつ、他の通信手段が前記検知手段により検知されていない場合、送信が完了した利用データの優先度よりも低い優先度の利用データを送信してもよい。
【００１０】
本発明の他の局面の車載バックアップシステムは、データ通信可能に接続される車載装置と複数の記憶媒体とを備え、前記車載装置で利用される利用データを前記複数の記憶媒体に記憶する車載バックアップシステムにおいて、前記利用データを優先度ごとに記憶する第１記憶手段と、前記複数の記憶媒体の種類と前記優先度とを関連付けて記憶する第２記憶手段と、前記複数の記憶媒体のうち、前記車載装置に接続された記憶媒体を検知する検知手段と、前記検知手段に検知された記憶媒体に対し、当該記憶媒体の種類に関連付けられた優先度の利用データを記憶するバックアップ処理手段とを備え、前記記憶媒体は、前記バックアップ処理手段により利用データを記憶される。
【００１１】
また、前記バックアップ処理手段は、前記検知手段に検知された記憶媒体の種類に対応する優先度が複数ある場合優先度の高い利用データから当該記憶媒体に記憶してもよい。
【００１２】
本発明の他の局面の車載装置は、複数の通信手段により、ネットワークを介してデータ通信可能に接続される車載装置において、前記車載装置で利用される利用データを優先度毎に記憶する第１記憶手段と、前記複数の通信手段の種類と前記優先度とを関連付けて記憶する第２記憶手段と、前記複数の通信手段のうち、通信可能な通信手段を検知する検知手段と前記検知手段に検知された通信手段により、当該通信手段の種類に関連付けられた優先度の利用データを送信するバックアップ処理手段とを備える。
【発明の効果】
【００１３】
本発明によれば、通信可能な通信手段の信頼性に応じてバックアップするデータを選択することで、重要なデータを優先的にバックアップすることができる。
【発明を実施するための最良の形態】
【００１４】
以下、本発明の実施例を図面に基づいて説明する。
【実施例１】
【００１５】
本発明の一実施例に係るバックアップシステムは、例えば、図１に示すようなシステム構成を成す。図１は、本発明の実施例１に係るバックアップシステムの概略システム構成図である。
【００１６】
実施例１に係るバックアップシステム１００は、車載装置１０１、通信手段１０２〜１０４、データサーバー１０５を含む。車載装置１０１は、カーナビなどでユーザーに利用されるデータを記憶し、通信手段を介してネットワークに接続し、記憶されたデータをデータサーバー１０５に送信する。車載装置１０１の詳細については、図２を用いて後述する。
【００１７】
通信手段１０２〜１０４は、ネットワークを介して、車載装置１０１とデータサーバー１０５とを接続し、データ通信を可能にする。係る通信手段１０２〜１０４は、有線、無線どちらでもかまわない。
【００１８】
データサーバー１０５は、ネットワークに接続された通信手段を介して、車載装置１０１から受信したデータを記憶する。また、データサーバー１０５は、車載装置１０１からの読出し要求に応じて、記憶しているデータを読み出される。
【００１９】
図２は、車載装置２００における主要機能構成を示す機能ブロック図である。車載装置２００は、カーナビ２０１、記憶手段２０２、検知手段２０３、バックアップ処理手段２０４を含んで構成され、通信手段である携帯電話２０５、ＤＳＲＣ（Dedicated  Short  Range  Communication）機器２０６、無線ＬＡＮ（Local  Area  Network）機器２０７と接続可能である。
【００２０】
カーナビ２０１は、現在位置や目的地への走行経路をユーザーに案内する電子機器である。また、カーナビ２０１は、タッチパネルやリモコン操作などにより、ユーザー所望のデータが設定される。
【００２１】
ここでは、ユーザーに設定されたり、ユーザーに利用されたりするカーナビ２０１に関するデータを利用データと呼ぶことにする。また、カーナビ２０１は、利用データを記憶手段２０２に記憶する。
【００２２】
記憶手段２０２は、データ管理テーブル、通信手段管理テーブルを記憶し、係るテーブルに管理されるデータを格納する。記憶手段２０２は、具体的には、ＨＤＤ（Hard Disk Drive）やメインメモリなどの記憶媒体である。なお、記憶手段２０２とカーナビ２０１とは別構成としたが、カーナビ２０１は、記憶手段２０２を内蔵しておいてもよい。
【００２３】
データ管理テーブル、通信手段管理テーブルについては、図３と図４とを用いて説明する。図３は、データ管理テーブルの一例を示す図である。図３に示すように、データ管理テーブルはデータの優先度ごとに、利用データが格納されている。
【００２４】
図３の例では、優先度の最も高いＬ１には、住所録、電話番号などが格納され、次に、優先度の高いＬ２には、目的地情報などが格納され、優先度の低いＬ３には、走行記録情報、日付情報などが格納されている。
【００２５】
なお、ここでは、優先度のレベルはＬ１〜Ｌ３の３つに分けたが、レベル分けは２つでも４つでも適宜設定可能としてもよい。また、利用データの優先度付けについては、ユーザーが設定できるようにしてもよいし、既に設定されていてもよい。
【００２６】
図４は、通信手段管理テーブルの一例を示す図である。図４に示すように、通信手段管理テーブルは、優先度毎に、通信手段が割り当てられている。ここで、通信手段は図２に示す携帯電話２０５、ＤＳＲＣ機器２０６、無線ＬＡＮ２０７だとする。
【００２７】
図４に示す例では、優先度Ｌ１には、携帯電話２０５が割り当てられている。これは、携帯電話２０５は、高価で速度も遅いが、利用できる範囲が広く、移動中も安定して利用できるということで通信の信頼性が高いからである。
【００２８】
図４に示す例では、優先度Ｌ２には、ＤＳＲＣ機器２０６が割り当てられている。これは、ＤＳＲＣ機器２０６は、携帯電話２０５よりは、利用できる範囲は狭く、無線ＬＡＮ２０７よりは利用できる範囲は広いからである。
【００２９】
図４に示す例では、優先度Ｌ３には、無線ＬＡＮ機器２０７が割り当てられている。これは、無線ＬＡＮ２０７は、安価で速度も速いが、利用できる範囲が極端に狭く、信頼性が低いからである。
【００３０】
なお、優先度と通信手段の割当については、ユーザーが行ってもよいし、車載装置２００が、利用範囲、通信速度などの観点から通信の信頼性を順位付けし、通信手段の信頼性の順位に基づいて割当を行なってもよい。
【００３１】
また、ここでは通信手段は、携帯電話２０５、ＤＳＲＣ機器２０６、無線ＬＡＮ２０７の３種類を例に挙げたが、これに限られるものではなく、その他の通信手段であってもよいし、通信手段の種類は２種類でも４種類でも任意の種類でもよい。
【００３２】
図２に戻り、検知手段２０３は、通信手段である携帯電話２０５、ＤＳＲＣ機器２０６、無線ＬＡＮ機器２０７のいずれと通信可能であるかを検知し、検知した通信手段の種類をバックアップ処理手段２０４に出力する。また、検知手段２０３が検知するのは１つでもよいし、複数でもよい。
【００３３】
バックアップ処理手段２０４は、カウンタ２０８を含み、検知手段２０３により検知された通信手段の種類を取得すると、記憶手段２０２に記憶されている通信手段管理テーブルに基づいて、検知された通信手段の種類に対応する優先度を読出す。次に、バックアップ処理手段２０４は、データ管理テーブルに基づいて、読み出した優先度から利用データを読出し、読み出した利用データを、検知手段２０３により検知された通信手段を介してデータサーバー１０５に送信する。
【００３４】
なお、バックアップ処理手段２０４は、利用データをバックアップするか否かを、カウンタ２０８を用いて決定する。カウンタ２０８は、各優先度毎に、前回のバックアップからの経過時間をカウントする。または、前回のバックアップ後に追加されたデータ量をカウントしてもよい。バックアップ処理手段２０４は、このカウンタ２０８が所定値を超えていれば、バックアップを行なう。
【００３５】
なお、以上の説明では、検知手段２０３とバックアップ処理手段２０４とは、別の構成としたが、１つの構成にまとめてもよい。
【００３６】
データサーバー１０５のデータ管理については、図５を用いて説明する。図５は、データサーバー１０５が記憶するデータ管理テーブルの一例を示す図である。図５に示すように、優先度の高い順に利用データを格納する。
【００３７】
これより、データを復元するときに、上位の利用データから復元することで優先度の高いものから利用データを復元することが可能になる。なお、データサーバー１０５は、図３に示すように優先度毎に利用データを管理しておいてもよい。
【００３８】
ここで、通信手段である携帯電話２０５、ＤＳＲＣ機器２０６、無線ＬＡＮ２０７について簡単に説明する。携帯電話２０５は、静止時（通信速度：数Ｍｂｐｓ）から高速移動時（通信速度：数百ｋｂｐｓ）まで安定した通信が可能であり、ユーザーが所有している携帯電話２０５を利用してデータ通信が可能である。
【００３９】
また、携帯電話２０５の特徴として、ほとんどのユーザーが所有しているため、いつでもどこでも通信可能であり、バックアップデータの送受信に使う通信機器としては信頼性が高い。
【００４０】
ＤＳＲＣ機器２０６は、ＥＴＣ（Electronic  Toll  Collection  System）などに用いられる双方向に無線通信可能な機器である。ＤＳＲＣは、利用可能な範囲は数メートルから数百メートルとそれほど広くないが、ＥＴＣのように特定スポットに限定すれば数Ｍｂｐｓの高速な通信が可能である。
【００４１】
無線ＬＡＮ機器２０７は、無線通信でＬＡＮによるデータ通信が可能な機器である。無線ＬＡＮは、通信速度は１１Ｍｂｐｓ〜であるが、他の電気機器との電波干渉などによる通信エラーが発生する可能性がある。よって、無線ＬＡＮ機器２０７は、通信の信頼性については携帯電話などに比べると低いと考えられる。
【００４２】
図６は、実施例１に係るバックアップシステムのバックアップ処理を説明するためのフローチャートである。ステップ６０１では、検知手段２０３が、利用可能な通信手段を検知したか否かを判定する。
【００４３】
ステップ６０１の判定結果がＹＥＳである場合ステップ６０２に進み、バックアップ処理手段２０４が、カウンタ２０８を参照する。ステップ６０２に続いてステップ６０３に進み、バックアップ処理手段２０４が、参照したカウンタ２０８が所定値以上であるか否かを判定する。
【００４４】
カウンタ２０８が前回のバックアップからの経過時間を示していれば、所定値は３日や１週間などの時間とする。また、カウンタ２０８が前回のバックアップから追加されたデータ量を示していれば、所定値は、数メガバイトなどの記憶容量とする。なお、所定値は適宜設定を変更することが可能である。
【００４５】
ステップ６０３の判定結果がＹＥＳである場合ステップ６０４に進み、バックアップ処理手段２０４が、検知手段２０３により検知された通信手段の種類に対応する優先度の利用データを記憶手段２０２から読出し、通信手段を介してデータサーバー１０５に送信する。次に、データサーバー１０５が、車載装置１００から受信した利用データを記憶すればバックアップが完了する。
【００４６】
ステップ６０４に続いてステップ６０５に進み、バックアップ処理手段２０４が、カウンタ２０８を更新する。カウンタ２０８が前回のデータバックアップ時からの経過時間、追加されたデータ量を示す場合は、バックアップ処理手段２０４により０にリセットされる。
【００４７】
ステップ６０１の判定結果がＮＯである場合、ステップ６０３の判定結果がＮＯである場合、又はステップ６０５の処理が終了した場合は、ステップ６０１の判定処理に戻る。
【００４８】
以上、実施例１におけるバックアップシステムによれば、利用できる通信手段の信頼性に応じてバックアップするデータを選択することで、重要なデータを優先的にバックアップすることができる。これは、利用可能範囲が広いなどの通信の信頼性の高い通信手段に、重要なデータをデータ通信させるようにしたからである。
【００４９】
また、利用可能な通信手段を検知して、検知された通信手段にデータ通信を行なわせることにより、その通信手段に合った適切な優先度のデータをバックアップすることが可能になる。
【実施例２】
【００５０】
実施例２におけるバックアップシステムについて説明する。実施例２におけるバックアップシステムは実施例１における構成に対してさらに個人認証手段を設け、個人認証が済んだユーザーの利用データをデータサーバー１０５から読み出して車載装置に復元を行なうシステムである。
【００５１】
実施例２では、レンタカーやカーシェアリングなどで、１台の車両を不特定多数のユーザーが使う場合、ユーザーがカーナビに設定した情報、またはユーザーに利用された情報をユーザー毎に復元することを想定している。
【００５２】
図７は、実施例２における車載装置の主要機能構成を示す機能ブロック図である。車載装置７００は、個人認証手段７０１、カーナビ２０１、検知手段２０３、バックアップ処理手段７０２、記憶手段７０３を含む。なお、図７に示す構成要素で、図２に示す構成要素と同様の機能のものは、図２と同じ符号を付し、その説明を省略する。
【００５３】
個人認証手段７０１は、ユーザーＩＤ、パスワードが入力され、入力された情報を、データサーバー１０５を有するサーバーに出力する。ここでは、個人認証はサーバー側で行なうこととする。
【００５４】
また、スマートキー、ＩＣカードなどを用いて個人認証を行なってもよい。また、実施例２では、個人認証はサーバー側で行なうとしたが、車載装置側で個人認証を行なって、認証された個人情報をサーバーに送信するようにしてもよい。
【００５５】
また、個人認証手段７０１は、認証が完了した場合に、認証された個人情報をバックアップ処理手段７０２と記憶手段７０３に出力する。
【００５６】
バックアップ処理手段７０２は、認証された個人情報に基づいて、データサーバー１０５から利用データを取得し、取得した利用データを記憶手段７０３に記憶する。図８は、データサーバー１０５が記憶するユーザー毎のデータ管理テーブルを示す図である。図８に示すように、実施例２では、ユーザー毎にデータ管理テーブルを記憶するが、図３に示すようにさらに優先度毎に分けて記憶してもよい。
【００５７】
記憶手段７０３は、図３に示すようなデータ管理テーブルをユーザー毎に記憶し、記憶された利用データは、バックアップ処理手段７０２により読み出されたり、書き込まれたりする。
【００５８】
例えば、個人認証手段７０１によりＡさんが認証されたとする。バックアップ処理手段７０２は、Ａさんの利用データをデータサーバー１０５から読み出して、記憶手段７０３に記憶されるＡさんのデータ管理テーブルに復元する。
【００５９】
図９は、実施例２における復元処理を説明するためのフローチャートである。ステップ９０１では、検知手段２０３が、通信可能な通信手段を検知したか否かを判定する。ステップ９０１の判定結果がＹＥＳである場合ステップ９０２に進み、個人認証手段７０１が、入力された情報又は取得した情報をサーバーに出力することで個人認証を行なう。
【００６０】
ステップ９０２に続いてステップ９０３に進み、個人認証手段７０１が、個人認証がサーバー側で成功したか否かを判定する。
【００６１】
ステップ９０３の判定結果がＹＥＳである場合ステップ９０４に進み、バックアップ処理手段７０２が、認証されたユーザーのデータ管理テーブルがデータサーバー１０５にあるか否かを判定する。
【００６２】
ステップ９０４の判定結果がＹＥＳである場合ステップ９０５に進み、バックアップ処理手段７０２が、認証されたユーザーの利用データをデータサーバー１０５から読出し、記憶手段７０３に書き込んでデータの復元を行なう。
【００６３】
これより、カーナビ２０１が記憶手段７０３に記憶されている利用データを用いることで、前回利用していたデータをユーザー毎に復元することが可能となる。
【００６４】
なお、バックアップ処理については、実施例１とほぼ同様であるが、認証されたユーザー毎にバックアップを行なう点が異なる。
【００６５】
以上、実施例２におけるバックアップシステムによれば、ユーザー毎にカーナビなどの設定情報をバックアップ、復元するため、同一ユーザーが再度車両を利用する時に、前回利用したときの利用データを復元することができるので、利便性が向上する。
【００６６】
また、利用するユーザー毎に、優先度を変更可能にし、また、優先度と通信手段との関連付けを変更可能とする構成をとることにより、フレキシブルなバックアップシステムを提供することが可能となる。
【００６７】
［変形例］
実施例１、実施例２の変形例として、ある優先度の利用データがバックアップ完了したときに、次の優先度の利用データをバックアップする構成について説明する。
【００６８】
バックアップ処理手段２０４が、ある優先度の利用データを全て読み出し、バックアップが完了したと判断すると、その次に優先度の高い利用データを読み出して、読み出した利用データをデータサーバー１０５に送信することでバックアップを行なう。
【００６９】
これより、検知された通信手段の種類に対応する優先度の利用データのバックアップが完了すると、その次に優先度の高い利用データをバックアップすることができ、通信手段を有効に活用することができる。
【００７０】
なお、実施例１、２または変形例において、通信手段は車載装置とは別構成としたが、いくつかの通信手段は車載装置に組み込まれていてもよい。また、通信手段と車載装置が別構成である場合の通信手段と車載装置とのデータ通信は、有線、無線、いずれでもよい。このとき、通信手段と車載装置とのデータ通信が確立していることが確認された後に、検知手段の検知を開始するとデータ通信がより確実になる。
【実施例３】
【００７１】
実施例３における車載バックアップシステムについて説明する。実施例３における車載バックアップシステムは、接続された記憶媒体に応じて、バックアップされる利用データを選択する。
【００７２】
図１０は、実施例３における車載装置の主要機能構成を示す機能ブロック図である。車載装置１０００は、カーナビ２０１、記憶手段１００１、検知手段１００２、バックアップ処理手段１００３を含んで構成され、スマートカード（ＩＣカード）１００４、携帯電話１００５、デジタルメディアプレーヤー１００６などの記憶媒体と接続可能である。なお、図１０に示す構成要素のうち、図２に示す構成要素と同様の機能のものは、図２と同じ符号を付し、その説明を省略する。
【００７３】
記憶手段１００１は、データ管理テーブルと記憶媒体管理テーブルを記憶する。データ管理テーブルは図３と同様であるので、記憶媒体管理テーブルについて図１１を用いて説明する。
【００７４】
図１１は、記憶媒体管理テーブルの一例を示す図である。図１１に示すように、記憶媒体管理テーブルは記憶媒体毎に、バックアップを行なう利用データの優先度を格納している。
【００７５】
図１１に示す例では、スマートカード１００４には、優先度Ｌ１の利用データがバックアップされる。スマートカード１００４は安価であり、一人一枚の所持が可能であるが、記憶容量が小さいため、優先度の高いＬ１の利用データのバックアップに用いる。
【００７６】
図１１に示す例では、携帯電話１００５には、優先度Ｌ１、Ｌ２の利用データがバックアップされる。携帯電話１００５は、頻繁に車両に持ち込まれるが、記憶容量がスマートカード１００４とデジタルメディアプレーヤー１００６との中間であるため、優先度Ｌ１とＬ２との利用データのバックアップに用いられる。
【００７７】
図１１に示す例では、デジタルメディアプレーヤー１００６には、優先度Ｌ１〜Ｌ３全ての利用データがバックアップされる。デジタルメディアプレーヤー１００６は、誰しも所持しているわけではないが、記憶容量が大きいので、優先度Ｌ１〜Ｌ３全ての利用データのバックアップに適している。
【００７８】
なお、記憶媒体はこの３種類に限定されないことは言うまでもなく、優先度についても適宜設定変更可能とする。
【００７９】
図１０に戻り、検知手段１００２は、記憶媒体であるスマートカード１００４、携帯電話１００５、デジタルメディアプレーヤー１００６いずれの記憶媒体が接続されているかを検知し、検知された記憶媒体の種類をバックアップ処理手段１００３に出力する。
【００８０】
バックアップ処理手段１００３は、検知された記憶媒体の種類に対応する優先度の利用データを記憶媒体１００１から読み出して、読み出された利用データを、検知された記憶媒体に記憶する。
【００８１】
なお、検知された記憶媒体の種類に対応する優先度が複数ある場合は、優先度の高い利用データから順にバックアップすることにする。これより、重要なデータから優先的にバックアップすることができる。
【００８２】
図１２は、実施例３におけるバックアップ処理を説明するためのフローチャートである。なお、図１２に示すステップにおいて、図６と同様の処理を行なうものは図６と同じ符号を付し、その説明を省略する。
【００８３】
ステップ１２０１では、検知手段１００２が、いずれの記憶媒体が接続されたかを検知する。ステップ１２０２では、バックアップ処理手段１００３が、検知手段１００２により検知された記憶媒体の種類に対応する優先度の利用データを記憶手段１００１から読出す。
【００８４】
次に、バックアップ処理手段１００３は、読み出された利用データを、検知された記憶媒体に記憶する。記憶媒体は、利用データを記憶することでバックアップを行なう。
【００８５】
以上、実施例３に係る車載バックアップシステムによれば、接続された記憶媒体の特性、記憶容量に応じて、バックアップされる利用データを選択することで、最適なデータのみをバックアップすることができる。
【００８６】
また、重要なデータに対しては、複数の記憶媒体に割り当てておくことで、優先的にバックアップされ、システムとしての信頼性が向上する。
【００８７】
なお、検知手段１００２が、未知の記憶媒体により接続されたことを検知した場合について以下説明する。
【００８８】
検知手段１００２が、接続された未知の記憶媒体の記憶容量を取得し、取得した記憶容量をバックアップ処理手段１００３に出力する。バックアップ処理手段１００３は、記憶手段１００１に記憶されている記憶媒体のうち、取得した記憶容量に一番近い記憶容量をもつ記憶媒体を特定し、特定した記憶媒体に対応する優先度の利用データを未知の記憶媒体に記憶する。このとき、記憶手段管理テーブルには、記憶手段の種類と合わせて、記憶手段の記憶容量も格納しておく。
【００８９】
これより、未知の記憶媒体に対しても、利用データを確実にバックアップすることができ、システムとしての信頼性がより向上する。
【００９０】
以上、本発明の実施例について詳述したが、本発明は係る特定の実施例に限定されるものではなく、特許請求の範囲に記載された本発明の要旨の範囲内において、上記変形例以外にも種々の変形・変更が可能である。
【図面の簡単な説明】
【００９１】
【図１】本発明に係るバックアップシステムのシステム構成を示す図。
【図２】実施例１における車載装置の主要機能構成を示す機能ブロック図。
【図３】データ管理テーブルの一例を示す図。
【図４】通信手段管理テーブルの一例を示す図。
【図５】サーバーのデータ管理テーブルの一例を示す図。
【図６】実施例１におけるバックアップ処理を説明するためのフローチャート。
【図７】実施例２における車載装置の主要機能構成を示す機能ブロック図。
【図８】サーバーのデータ管理テーブルの一例を示す図。
【図９】実施例２における復元処理を説明するためのフローチャート。
【図１０】実施例３における車載装置の主要機能構成を示す機能ブロック図。
【図１１】記憶媒体管理テーブルの一例を示す図。
【図１２】実施例３におけるバックアップ処理を説明するためのフローチャート。
【符号の説明】
【００９２】
１００  バックアップシステム
１０１、２００、７００、１０００  車載装置
１０２、１０３、１０４  通信手段
１０５  データサーバー
２０１  カーナビ
２０２、７０３、１００１  記憶手段
２０３、１００２  検知手段
２０４、７０２、１００３  バックアップ処理手段
２０５、１００５  携帯電話
２０６  ＤＳＲＣ機器
２０７  無線ＬＡＮ機器
７０１  個人認証手段
１００４  スマートカード
１００６  デジタルメディアプレーヤー
【図１】
2009230575.tif 000003
【図２】
2009230575.tif 000004
【図３】
2009230575.tif 000005
【図４】
2009230575.tif 000006
【図５】
2009230575.tif 000007
【図６】
2009230575.tif 000008
【図７】
2009230575.tif 000009
【図８】
2009230575.tif 000010
【図９】
2009230575.tif 000011
【図１０】
2009230575.tif 000012
【図１１】
2009230575.tif 000013
【図１２】
2009230575.tif 000014